(57)【特許請求の範囲】
【請求項１】
小売店舗等の店舗に設置された決済端末での顧客の決済処理中に、管理サーバから配信された広告主の商品の広告を該決済端末の表示画面に表示し、広告商品の販売促進をする広告配信装置において、
顧客識別情報を記録した顧客識別情報記録手段を利用して商品を購入する顧客が購入商品を購入する際に、この顧客の顧客識別情報と、購入された前記購入商品と、前記購入商品購入時の決済処理の時刻と、を対応づけて登録する購入履歴データベースと、
顧客識別情報を記録した顧客識別情報記録手段を利用して商品を購入する顧客が購入商品を購入する際に前記表示画面に表示されて前記購入商品購入時に顧客に提示されたと推定される前記広告および広告対象である広告商品を識別する情報を含む広告データと、この顧客の顧客識別情報と、前記広告データがこの顧客に提示された時刻として推定される前記購入商品購入時の決済処理の時刻と、前記広告データがこの顧客に提示された時刻として推定される前記購入商品購入時の決済処理の時刻から所定の期間を前記広告データの有効期間とする成功報酬有効期間と、を対応付けて登録する広告履歴データベースと、
同じ顧客識別情報を有する顧客についての前記購入履歴データベースと前記広告履歴データベースとを対比したときに、前記購入履歴データベースに登録された前記購入商品と前記広告履歴データベースに登録された前記広告対象である広告商品とが一致し、かつ、前記購入履歴データベースに登録されている前記購入商品購入時の決済処理の時刻が前記広告履歴データベースに登録された前記広告データの前記有効期間内である場合、この広告データを成功報酬データとして登録する成功報酬データベースと、
前記成功報酬データに基づき前記広告主に求める成功報酬を計算する手段と、を備える
ことを特徴とする広告配信装置。
【請求項２】
前記決済端末は、
前記顧客識別情報記録手段に記憶された前記顧客識別情報を読み取る顧客データ入力部と、
前記顧客が購入した商品の情報を該商品又は該商品の包装に記録された商品データ記録手段から商品情報として読み取る商品情報入力部と、
前記管理サーバとデータ通信をする通信部と、
前記表示画面が設けられている表示部と、
顧客が商品を購入する際に決済端末が決済処理を実行した日時を計測する日時時間部と、
顧客購入履歴部と、
広告データ記憶部と、を有し、
前記管理サーバは、前記広告履歴データベース、前記購入履歴データベース、前記成功報酬データベース、および、前記広告を登録する広告データベースを有し、
前記表示部は、前記通信部経由で前記広告データベースに登録された広告を受けて、前記表示画面に前記広告を表示し、
前記広告データ記憶部は、前記決済処理の時刻に前記表示画面に表示されている前記広告に関する前記広告データを記憶し、
前記顧客購入履歴部は、
前記顧客データ入力部から得られた前記顧客識別情報、前記商品情報入力部から得られた前記商品情報、前記日時時間部から得られた前記決済処理の日時、および、前記広告データ記憶部に記憶された前記広告データを、それぞれ入力し、入力した各データを記憶するともに、前記顧客識別情報および前記商品情報を前記通信部経由で前記管理サーバに送り、
前記決済処理の時刻は、前記顧客購入履歴部が前記顧客識別情報および前記商品情報を入力した時刻に基づく時刻である
ことを特徴とする請求項１に記載の広告配信装置。
【請求項３】
小売店舗等の店舗に設置された決済端末での顧客の決済処理中に、管理サーバから配信された広告主の商品の広告を該決済端末の表示画面に表示し、広告商品の販売促進をする広告配信方法において、
顧客識別情報を記録した顧客識別情報記録手段を利用して商品を購入する顧客が購入商品を購入する際に、この顧客の顧客識別情報と、購入された前記購入商品と、前記購入商品購入時の決済処理の時刻と、を対応づけて前記決済端末から前記管理サーバに送り、前記管理サーバに設けられた購入履歴データベースに登録するステップと、
顧客識別情報を記録した顧客識別情報記録手段を利用して商品を購入する顧客が購入商品を購入する際に前記表示画面に表示されて前記購入商品購入時に顧客に提示されたと推定される前記広告および広告対象である広告商品を識別する情報を含む広告データと、この顧客の顧客識別情報と、前記広告データがこの顧客に提示された時刻として推定される前記購入商品購入時の決済処理の時刻と、前記広告データがこの顧客に提示された時刻として推定される前記購入商品購入時の決済処理の時刻から所定の期間を有効期間とする成功報酬有効期間のデータと、を対応付けて前記決済端末から前記管理サーバに送り、前記管理サーバに設けられた広告履歴データベースに登録するステップと、
前記管理サーバにおいて、同じ顧客識別情報を有する顧客についての前記購入履歴データベースと前記広告履歴データベースとを対比して、前記購入履歴データベースに登録された前記購入商品と前記広告履歴データベースに登録された前記広告対象である広告商品とが一致し、かつ、前記購入履歴データベースに登録されている前記購入商品購入時の決済処理の時刻が前記広告履歴データベースに登録された前記広告データの前記有効期間内である場合、この広告データを成功報酬データとして管理サーバに設けられた成功報酬データベースに登録するステップと、
前記成功報酬データに基づき前記広告主に求める成功報酬を前記管理サーバによって計算するステップと、を備える
ことを特徴とする広告配信方法。
【発明の詳細な説明】
【技術分野】
【０００１】
本発明は広告配信装置および広告配信方法に関し、特に小売店等の店舗におけるＰＯＳ端末を使用する広告配信装置および広告配信方法に関する。
【背景技術】
【０００２】
販売促進のための商品広告は、新聞や雑誌等の紙媒体、ＴＶやラジオ等の放送媒体、携帯電話やインターネット等の通信媒体、電車やバス等の公共交通手段の車内広告等の種々の媒体を介して行なわれている。斯かるマスメディアによる商品広告は、不特定多数に対して且つ広域の潜在顧客に対してなされるので、インパクトが大きいので、広告主は高額の広告料を支払うのが一般的である。しかし、斯かる広告を見聞きした者が、それらの媒体を介して直ちに購入する消費者となるとは限らないので、その広告効果を判断することは容易でない。
【０００３】
一方、コンビニエンスストア（以下、単にコンビニという）等の小売店舗は、消費者の身近にあり、顧客は消費者であるのが一般的である。従って、コンビニ等の小売店舗で商品の広告を行なうことは、販売促進のために極めて有効である。特に、斯かる小売店舗では決済その他の目的でＰＯＳ端末が導入されており、ＰＯＳ端末には大型のカラー液晶表示装置（ＬＣＤ）等の表示装置が設けられている。この表示装置は、両面表示方であり、片側の表示装置は、店員が購入された商品の入力等に使用され、他側の表示装置は、顧客に対して入力結果および合計金額等の表示と共に各種商品を宣伝広告する広告画面としても使用されている。
【０００４】
コンビニ等の店舗では、その立地条件等により顧客の消費動向は異なるが、顧客の殆ど全ては消費者であるので、上述したＰＯＳ端末の広告画面を適切な商品の広告に使用すると、顕著な広告効果が期待できる筈である。また、顕著な広告効果があれば、広告主はそれに見合った投資を行なうことが期待できる。それにより、広告主は商品の売上増加が期待でき、店舗は広告画面を有効利用して広告主から手数料収入が期待でき、また顧客には決済時間に有用な商品情報を提供して顧客満足度を改善できるので、これら全ての当事者の利益に寄与することとなる。しかし、斯かる広告の効果を適切に判断することは不可能又は困難である。
【０００５】
上述したＰＯＳ端末による商品広告およびそれに関連する技術は、幾つかの文献に開示されている。広告サーバからインターネット網を介してＰＯＳサーバに商品広告が送信され、その広告内容をＰＯＳ端末の広告画面に表示し、広告内容と有効期限、表示日時と購入日時を記憶部に記憶して、広告の効果を確認する広告効果確認システムおよびこれに用いられる情報端末等が開示されている（例えば、特許文献１参照。）。また、インターネットを介して広告を配信する放送局、店舗に設置された端末および情報を収集する情報センタを相互接続し、広告識別子および顧客識別子等により広告効果を測定する広告効果測定方法および広告効果測定プログラムが開示されている（例えば、特許文献２参照。）。
【０００６】
【特許文献１】特開２００２−７３８８６号公報（第１１頁、第１図、第２図）
【特許文献２】特開２００３−２９９１２２号公報（第２−３頁、第１図）
【発明の開示】
【発明が解決しようとする課題】
【０００７】
従来技術、即ち決済端末（ＰＯＳ端末）の広告画面を使用する商品広告は、斯かる商品広告により商品の売上増加が期待できる。しかし、商品広告の効果を適切に判断または予測することが困難であるため、広告主が例えば多額の広告料を支払って商品広告するビジネス判断が困難で、また店舗側でも商品広告の効果の立証が困難であり、決済端末の広告画面が十分に活用されてないという課題があった。
【０００８】
本発明は、従来技術の上述した課題に鑑みなされたものであり、斯かる課題を解消する、即ち広告主が決済端末（ＰＯＳ端末）の広告画面を積極的に活用して、広告主および店舗側双方の利益を上げる広告配信装置、方法およびその記録媒体を提供することを主たる目的とする。
【課題を解決するための手段】
【０００９】
前述の課題を解決するため本発明による広告配信装置、方法およびその記録媒体は次のような特徴的な構成を採用している。
【００１０】
（１）小売店舗等の店舗に設置された決済端末での顧客の決済処理中に、管理サーバから配信された広告主の商品の広告を該決済端末の表示画面に表示し、広告商品の販売促進をする広告配信装置において、
顧客識別情報を記録した顧客識別情報記録手段を利用して商品を購入する顧客が購入商品を購入する際に、この顧客の顧客識別情報と、購入された前記購入商品と、前記購入商品購入時の決済処理の時刻と、を対応づけて登録する購入履歴データベースと、
顧客識別情報を記録した顧客識別情報記録手段を利用して商品を購入する顧客が購入商品を購入する際に前記表示画面に表示されて前記購入商品購入時に顧客に提示されたと推定される前記広告および広告対象である広告商品を識別する情報を含む広告データと、この顧客の顧客識別情報と、前記広告データがこの顧客に提示された時刻として推定される前記購入商品購入時の決済処理の時刻と、前記広告データがこの顧客に提示された時刻として推定される前記購入商品購入時の決済処理の時刻から所定の期間を前記広告データの有効期間とする成功報酬有効期間と、を対応付けて登録する広告履歴データベースと、
同じ顧客識別情報を有する顧客についての前記購入履歴データベースと前記広告履歴データベースとを対比したときに、前記購入履歴データベースに登録された前記購入商品と前記広告履歴データベースに登録された前記広告対象である広告商品とが一致し、かつ、前記購入履歴データベースに登録されている前記購入商品購入時の決済処理の時刻が前記広告履歴データベースに登録された前記広告データの前記有効期間内である場合、この広告データを成功報酬データとして登録する成功報酬データベースと、
前記成功報酬データに基づき前記広告主に求める成功報酬を計算する手段と、を備える
ことを特徴とする広告配信装置。
（２）前記決済端末は、
前記顧客識別情報記録手段に記憶された前記顧客識別情報を読み取る顧客データ入力部と、
前記顧客が購入した商品の情報を該商品又は該商品の包装に記録された商品データ記録手段から商品情報として読み取る商品情報入力部と、
前記管理サーバとデータ通信をする通信部と、
前記表示画面が設けられている表示部と、
顧客が商品を購入する際に決済端末が決済処理を実行した日時を計測する日時時間部と、
顧客購入履歴部と、
広告データ記憶部と、を有し、
前記管理サーバは、前記広告履歴データベース、前記購入履歴データベース、前記成功報酬データベース、および、前記広告を登録する広告データベースを有し、
前記表示部は、前記通信部経由で前記広告データベースに登録された広告を受けて、前記表示画面に前記広告を表示し、
前記広告データ記憶部は、前記決済処理の時刻に前記表示画面に表示されている前記広告に関する前記広告データを記憶し、
前記顧客購入履歴部は、
前記顧客データ入力部から得られた前記顧客識別情報、前記商品情報入力部から得られた前記商品情報、前記日時時間部から得られた前記決済処理の日時、および、前記広告データ記憶部に記憶された前記広告データを、それぞれ入力し、入力した各データを記憶するともに、前記顧客識別情報および前記商品情報を前記通信部経由で前記管理サーバに送り、
前記決済処理の時刻は、前記顧客購入履歴部が前記顧客識別情報および前記商品情報を入力した時刻に基づく時刻である
ことを特徴とする上記（１）に記載の広告配信装置。
（３）小売店舗等の店舗に設置された決済端末での顧客の決済処理中に、管理サーバから配信された広告主の商品の広告を該決済端末の表示画面に表示し、広告商品の販売促進をする広告配信方法において、
顧客識別情報を記録した顧客識別情報記録手段を利用して商品を購入する顧客が購入商品を購入する際に、この顧客の顧客識別情報と、購入された前記購入商品と、前記購入商品購入時の決済処理の時刻と、を対応づけて前記決済端末から前記管理サーバに送り、前記管理サーバに設けられた購入履歴データベースに登録するステップと、
顧客識別情報を記録した顧客識別情報記録手段を利用して商品を購入する顧客が購入商品を購入する際に前記表示画面に表示されて前記購入商品購入時に顧客に提示されたと推定される前記広告および広告対象である広告商品を識別する情報を含む広告データと、この顧客の顧客識別情報と、前記広告データがこの顧客に提示された時刻として推定される前記購入商品購入時の決済処理の時刻と、前記広告データがこの顧客に提示された時刻として推定される前記購入商品購入時の決済処理の時刻から所定の期間を有効期間とする成功報酬有効期間のデータと、を対応付けて前記決済端末から前記管理サーバに送り、前記管理サーバに設けられた広告履歴データベースに登録するステップと、
前記管理サーバにおいて、同じ顧客識別情報を有する顧客についての前記購入履歴データベースと前記広告履歴データベースとを対比して、前記購入履歴データベースに登録された前記購入商品と前記広告履歴データベースに登録された前記広告対象である広告商品とが一致し、かつ、前記購入履歴データベースに登録されている前記購入商品購入時の決済処理の時刻が前記広告履歴データベースに登録された前記広告データの前記有効期間内である場合、この広告データを成功報酬データとして管理サーバに設けられた成功報酬データベースに登録するステップと、
前記成功報酬データに基づき前記広告主に求める成功報酬を前記管理サーバによって計算するステップと、を備える
ことを特徴とする広告配信方法。
【発明の効果】
【００１１】
本発明の広告配信装置および広告配信方法によると、次の如き実用上の顕著な効果が得られる。即ち、商品広告を行なう広告主は、商品広告を行い販売促進が実質的に成功した場合に、その成功の度合いに応じて成功報酬として手数料を支払うので、例えば固定広告料を抑え（又はなくし）無駄な投資（広告料支払）を避けて効率的な商品広告が可能である。また、広告主からの多くの商品広告が期待できる。店舗も、決済端末を商品広告に有効活用すると共に広告手数料（成功報酬）を広告主から受け取ることが可能である。更に、顧客は、決済時に興味ある商品の広告を簡単に入手することが可能である。また、顧客の同意を得て取得した、年齢、性別、趣味その他の個人情報又は過去に購入した商品に基づく個人情報を取得して、決済端末による決済処理時に顧客毎に適切な商品広告を表示することも可能であるので、顧客満足度を改善が期待できる。
【実施例】
【００１２】
以下、本発明による広告配信装置、方法およびその記録媒体の好適実施例の構成および動作を、添付図面を参照して詳細に説明する。
【００１３】
先ず、図１は、本発明による広告配信装置の好適実施例の構成を示すブロック図である。この広告配信装置１０は、１以上の店舗２０（この特定例にあっては、店舗２０Ａおよび店舗２０Ｂの２店舗）にそれぞれ設置されたＰＣ（パーソナルコンピュータ）等のストアコンピュータ２１Ａ、２１Ｂ（以下総称してコンピュータ２１という場合もある）および広告表示機能付き決済端末（ＰＯＳ端末）２２Ａ、２２Ｂ（以下、総称して決済端末２２という場合もある）を備えている。また、本部３０には、管理サーバ（又はホストサーバ）３１と各種データベース、即ち広告履歴データベース３２、購入履歴データベース３３および成功報酬データベース３４などを備えている。
【００１４】
これら各店舗２０には、不特定多数の顧客である消費者２３が適宜買い物のために来店する。各消費者（又は顧客）２３は、それぞれ本人を特定（識別）するポイントカード、クレジットカード又は電子マネー等（以下、単にカードという）を保持するものとする。この消費者のカードは、決済時に例えば店員に提示して、例えばバーコードリーダ等の光学的、電気的又は磁気的読取装置（図示せず）により決済端末２２に読み込まれる。また、各ストアコンピュータ２１および管理サーバ３１は、有線又は無線通信回線により相互接続され、データ通信可能に構成されている。
【００１５】
ここで、消費者２３は、店舗２０の顧客、即ちこの店舗２０における何らかの商品又はサービスの購入対象者であり、上述の如く本人が特定できるポイントカード、電子マネーカード又はクレジットカード等のカードを保有する。決済端末２２は、配信される商品広告が表示可能な広告画面を有すると共に決済機能を有する端末であり、例えば液晶画表示面（ＬＣＤ）付きＰＯＳ端末である。ストアコンピュータ２１は、各店舗２０Ａ、２０Ｂに設置されてあるコンピュータであり、決済端末（ＰＯＳ端末）２２と連動して各店舗２０Ａ、２０Ｂの売上データ等を記録保存すると共に本部３０と既存の通信回線を使用して売上データの集計や広告媒体の配信等を行なう。
【００１６】
一方、管理サーバ（又はホストサーバ）３１は、本部３０に設置されたコンピュータであり、各店舗２０Ａ、２０Ｂの売上集計や広告主からの広告媒体の管理等を行い、各店舗２０Ａ、２０Ｂへの広告主による商品広告の配信等を行う。この管理サーバ３１には、上述した広告履歴データベース３２、購入履歴データベース３３および成功報酬データベース３４等の各種データベースが接続されている。広告履歴データベース３２は、消費者２３が見た商品広告情報を収納している。購入履歴データベース３３は、消費者２３が購入した商品の購入履歴を収納している。また、成功報酬データベース３４は、消費者２３が商品広告を見て、その広告商品が購入に結びついた商品の履歴を収納している。
【００１７】
次に、図１に示す広告配信装置１０の動作を、図２〜図５に示す具体例を参照して説明する。この具体例では、店舗２０はコンビニとする。また、広告を表示する機能を持った決済端末２２は、液晶表示画面に商品広告が表示可能な店舗２０のＰＯＳ端末であるとする。尚、商品広告は、広告主からの広告媒体を本部３０の管理サーバ３１に登録し、既存の通信回線を経由し、店舗２０Ａ、２０Ｂのストアコンピュータ２１Ａおよび２１Ｂに配信する。そして、この広告媒体を最終的には、決済端末２２Ａおよび２２Ｂに送信して、その広告画面に表示する。
【００１８】
先ず、顧客である消費者２３は、店舗２０独自のポイントカード、電子マネーカード又はクレジットカード等の本人を特定するカードを予め用意して店舗２０が販売する商品を購入する。以下、店舗２０で用意した独自のポイントカードを使用するものとする。このとき、消費者２３の購入時間（即ち、決済端末２２での決済時間）等から購入時に配信されていた広告を推定する。決済端末２２には、図２に示す如き「※※オーケストラのコンサート」に関する商品広告が表示されているとする。換言すると、この消費者２３は、決済端末２２による決済中にこの「※※オーケストラのコンサート」に関する商品広告を見たものと推定する。そこで、この広告情報および消費者２３のポイントカードの識別番号等は、決済端末２２を介して店舗２０のストアコンピュータ２１に既存の通信手段を使用して送られる。この店舗２０が複数の店舗を有するチェーン店の場合には、各店舗２０Ａおよび２０Ｂの情報は、それぞれストアコンピュータ２１Ａおよび２１Ｂを介して本部３０の管理サーバ３１に既存の通信手段で送信される。本部３０の管理サーバ３１には、上述の如く広告履歴データベース３２、購入履歴データベース３３および成功報酬データベース３４が接続されている。
【００１９】
消費者２３が購入したときに見た決済端末２２の商品広告は、履歴がデータベース化され広告履歴データベース３２に蓄積保存されている。この広告履歴データベース３２の１例を図３に示す。この具体例では、広告履歴データベース３２には、顧客番号、名前、見た広告、広告番号、商品番号、日時および残り時限が含まれている。顧客番号は、消費者２３のポイントカードの識別番号である。名前は、このポイントカードに登録してある名前であり、例えば消費者Ａとする。見た広告は、この消費者Ａが決済時に見た商品広告であり、例えば図２に示す※※オーケストラのコンサートとする。広告番号は、広告に任意に付けられた識別番号、例えば０１２３４５である。商品番号は、広告対象となる商品である※※オーケストラのコンサートチケットの識別番号、例えば５４３２１０である。日時は、消費者２３が商品広告を見た日時、例えば２００４年９月１０日午後８時２３分である。残り時限は、広告主や販売店等が決めることができ、消費者２３が広告対象の商品を購入した際の成功報酬が支払われる有効期間を示し、例えば１５日である。
【００２０】
この後に、消費者２３は、同じ店舗２０で複数の商品を購入したとする。この際にもポイントカードを使用しているので、消費者２３の購入履歴は、本部３０の購入履歴データベース３３に随時登録される。図４は、この購入履歴データベース３３の消費者Ａに関する具体例を示す。本部３０の管理サーバ３１により、広告履歴データベース３２および購入履歴データベース３３を照合する。そして、予め決められた一定時限内（この具体例では商品広告を見てから１５日以内）に、消費者Ａが見た商品広告の商品（※※オーケストラのコンサートチケット）が、購入者Ａにより購入されたことが確認できた場合には、図５に示す如く、その情報を成功報酬データベース３４に入力する。この時限は、商品毎に又はその他の要因、例えば季節等により、広告主と店舗との協議の上、適宜設定又は変更可能にしてもよい。図４において、点線で囲われた部分は、広告を見てから１５日以内に購入されているため広告効果があったものと判断される。
【００２１】
店舗２０は、この成功報酬データベース３４の情報に基づき（通常の広告費の他に）成功報酬として手数料を受け取る。尚、全ての履歴は、本部３０の管理サーバ３１内又はそれに接続される各種データベース３２〜３４に記録されている。消費者２３がチェーンの他店舗、例えば店舗２０Ｂで購入した場合でも、決済端末２２Ｂおよびストアコンピュータ２１Ｂを介して広告情報および購入履歴情報が本部３０の管理サーバ３１に送られるため、履歴情報を一元的に管理可能である。
【００２２】
次に、図６は、上述した本発明による広告配信装置１０の詳細構成を示す機能ブロック図である。決済端末（ＰＯＳ端末）２２は、顧客データ入力部６１、商品情報入力部６２、顧客購入履歴部６３、広告データ記憶部６４、日時時間部６５、表示部６６および送信部６７を含んでいる。ストアコンピュータ２１は、送信部７１、広告データ記憶部７２、顧客購入履歴部７３、日時時間部７４および送信部７５を含んでいる。また、本部３０には、管理サーバ（又はホストサーバ）３１、広告履歴データベース３２、購入履歴データベース３３、成功報酬データベース３４、広告データベース３５、日時時間部３６および送信部３７を有する。
【００２３】
ここで、各機能部の主要機能を説明する。顧客データ入力部６１は、顧客である消費者２３の保有するポイントカード等の本人を特定するデータを光学、電気又は磁気的読取手段により読み取り、顧客購入履歴部６３に入力する。商品情報入力部６２は、各商品に貼付されたバーコード又はＩＣチップ等の商品情報、例えば商品名、重量、価格その他の情報を読み取り、顧客購入履歴部６３に入力する。顧客購入履歴部６３は、顧客データ入力部６１および商品情報入力部６２から入力されるデータを、日時時間部６５から読み込んだ正確な日時（消費者２３が決済端末２２で購入した商品の決済処理している日時）情報および広告データ記憶部６４からの広告データと共に記憶保存する。広告データ記憶部６４は、顧客データ入力部６１および商品情報入力部６２から顧客購入履歴部６３へのデータ入力時に決済端末２２に広告画面に表示されていた商品広告データを顧客購入履歴部６３に入力する。日時時間部６５は、ストアコンピュータ２１の日時時間部７４の管理下で、正確な日時を保持し、顧客購入履歴部６３の要求に基づきその情報を送信する。表示部６６は、本部３０の広告データベース３５から配信される商品広告と共に決済端末２２の決済データ、即ち顧客が購入した商品情報、合計金額、顧客から受け取った金額および釣り銭等を表示する。送信部６７は、決済端末２２とストアコンピュータ２１間のデータの送受信を行なう。
【００２４】
次に、ストアコンピュータ２１の送信部７１は、上述した決済端末２２の送信部６７との間でデータ等の送受信を行なう。一方、送信部７５は、本部３０の送信部３７との間でデータ等の送受信を行なう。広告データ記憶部７２は、本部３０の広告データベース３５から管理サーバ３１等を介して配信される広告データのうち上述した成功報酬の支払対象となる有効期限内の広告データを収納又は記憶保存する。顧客購入履歴部７３は、顧客が購入した商品の履歴データを記憶保存する。日時時間部７４は、本部３０の日時時間部３６の管理下で日時情報を管理する。
【００２５】
本部３０の大部分の機能部は、実質的に図１を参照して上述したので、重複説明は省略する。広告データベース３５は、広告主から依頼された商品広告の情報（画像、音声、データ等）が記憶保存する。そして、管理サーバ３１の制御下で、送信部３７を介して、ストアコンピュータ２１および決済端末２２へ配信表示される。日時時間部３６は、日時情報を管理する。
【００２６】
図６に示す広告配信装置１０において、広告データベース３５に記憶保存されている商品広告データのうち、管理サーバ３１の管理下で又は決済端末２２からの要求により実際に決済端末２２の表示部６６に配信表示された商品広告データを、その配信時間と共に広告履歴データベース３２に記憶保存する。また、顧客が購入した商品の履歴を、その日時情報と共に購入履歴データベース３３に記憶保存する。そして、購入履歴データベース３３の購入商品のうち、各顧客の購入時における商品広告から予め決められた時限又は期限内に購入された商品データを顧客毎に纏めて成功報酬データベース３４に記憶保存する。この成功報酬データベース３４のデータに基づいて、広告手数料を計算して広告主に請求し、店舗２０に支払う。
【００２７】
尚、配信される商品広告に対する成功報酬は、購入された１商品当たりの成功報酬を一定とする固定報酬、合計購入金額に応じて１商品当たりの成功報酬を変える累進報酬又はその他の方法で決定してもよい。また、斯かる広告配信方法は、コンピュータが読み取り可能な記録媒体にプログラムとして記録することにより、種々の店舗のコンピュータにインストールして利用することが可能である。
【００２８】
以上、本発明の好適実施例の構成および動作を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【図面の簡単な説明】
【００２９】
【図１】本発明による広告配信装置の好適実施例のシステム構成図である。
【図２】図１中の決済端末に配信表示された広告画面の具体例である。
【図３】図１中の広告履歴データベースの具体例である。
【図４】図１中の購入履歴データベースの具体例である。
【図５】図１中の成功報酬データベースの具体例である。
【図６】本発明による広告配信装置の詳細構成を示す機能ブロック図である。
【符号の説明】
【００３０】
１０  広告配信装置
２０  店舗
２１  ストアコンピュータ
２２  決済端末（ＰＯＳ端末）
２３  消費者（顧客）
３０  本部
３１  管理サーバ
３２〜３５  データベース
【図１】
0004511910.tif 000002
【図２】
0004511910.tif 000003
【図３】
0004511910.tif 000004
【図４】
0004511910.tif 000005
【図５】
0004511910.tif 000006
【図６】
0004511910.tif 000007